(57)【要約】【課題】制約された基板領域内において、互いの電気的な影響を排除し得る距離を確保できる接続端子の提供。【解決手段】基板取付部１１と、バスバー取付部１３と、両者を一体に接続する接続部１７とにより断面コの字状をなす接続端子１０である。バスバー取付部は、バスバーの長手方向に延び互いに略平行な第１辺部１３Ａ及び第２辺部１３Ｂを有し、第１辺部１３Ａからは第１回り止め突起１５が第２辺部１３Ｂからは第２回り止め突起１６が立設されている。第１回り止め突起と第２回り止め突起１６とはバスバーの長手方向Ｘにおいて互いにずれた位置にある。【選択図】  図１
2004296158.tif 000002
【特許請求の範囲】
【請求項１】
プリント基板に固定される基板取付部と、該基板取付部の上方に位置して取付穴が形成されたバスバーをネジ固定するバスバー取付部と、該基板取付部と該バスバー取付部とを一体に接続する接続部とを有し、該バスバー取付部は該バスバーの長手方向に延び互いに略平行な第１辺部及び第２辺部を有し、該第１辺部からは第１回り止め突起が立設され、該第２辺部からは第２回り止め突起が立設され、該バスバー幅方向における該第１回り止め突起の立設部と第２回り止め突起の立設部間の距離は該バスバーの幅に対応して該第１、第２回り止め突起間に該バスバーの長手方向端面を対向配置させた接続端子において、該第１回り止め突起と該第２回り止め突起とは該バスバーの長手方向において互いにずれた位置にあることを特徴とする接続端子。
【請求項２】
該バスバー取付部及び該基板取付部は、平面視略長方形をなすとともに平面視で輪郭が互いに重なり合っていることを特徴とする請求項１記載の接続端子。
【請求項３】
該基板取付部には、該プリント基板に係合する爪が一体に設けられていることを特徴とする請求項１又は２記載の接続端子。
【請求項４】
該バスバー取付部には雌ネジ穴が形成され、また該バスバー取付部の該基板取付部に対向する面からは、内周面に雌ネジが螺刻された突き出しタップが一体に設けられ、雄ネジが該バスバーの取付穴を通過しつつ該雌ネジ穴及び突き出しタップに螺合することにより、該バスバーが該バスバー取付部に固定されることを特徴とする請求項１乃至３の何れか１記載の接続端子。
【発明の詳細な説明】
【０００１】
【発明の属する技術分野】
本発明は接続端子に関し、特に隣接配置された端子間における電気的影響を排除する接続端子に関する。
【０００２】
【従来の技術】
接続端子１００は、基板１に複数固定され、バスバー２Ａ、２Ｂを端子間に固定して電気的な接続を中継している。ここで従来の接続端子１００は、基板取付部１０１と、バスバー取付部１０３と、基板取付部１０１とバスバー取付部１０３とを一体に接続する接続部１０７とにより断面コの字状をなす。ここで、バスバー取付部１０３はバスバー２Ａ、２Ｂの長手方向に延び互いに略平行な第１辺部１０３Ａ及び第２辺部１０３Ｂを有し、第１辺部１０３Ａからは第１回り止め突起１０５がバスバー幅方向に突出してから湾曲して立設され、第２辺部１０３Ｂからは第２回り止め突起１０６が第１回り止め突起１０５の突出方向とは反対方向に突出してから湾曲して立設されている。ここで、バスバー幅方向における第１回り止め突起１０５の立設部と第２回り止め突起１０６の立設部間の距離は、バスバーの幅Ｗに対応しており、また、図１１に示されるように、第１回り止め突起１０５と該第２回り止め突起１０６とはバスバー２Ａ、２Ｂの長手方向に直角な方向で同一直線上にある。
【０００３】
貫通孔が端部に形成されたバスバー２Ａ、２Ｂを、バスバー取付部１０３上に配置し、図示せぬネジを締付けることにより、バスバー２Ａ、２Ｂは接続端子１００，１００間に固定される。ネジ締付けの最終段階では、ネジの回転と締付け力によってバスバー２Ａ、２Ｂ自体もネジの軸心を中心として回動しようとするが、バスバーの長手方向端面が第１回り止め突起１０５の立設部と第２回り止め突起１０６の立設部とに当接するので、バスバー２Ａ、２Ｂが予期せぬ方向に固定されるのが防止できる。尚、関連する技術を記載するものとして、特許文献１，特許文献２、特許文献３がある。
【特許文献１】
特開２００２−５０４１７号公報
【特許文献２】
特開２０００−２０８１７２号公報
【特許文献３】
実開平６−８４７３３号公報
【０００４】
【発明が解決しようとする課題】
かかる従来の接続端子１００において、隣接する一方の接続端子がプラス側であり、他方の接続端子がマイナス側であるとき、互いの電気的影響を排除するためには端子間を所定距離以上にしなければならない。この距離は使用する機器、電圧、使用条件によって決定される。以上をふまえ、隣り合う接続端子１００、１００については、図１１に示されるように、一方の接続端子の第１辺１０３Ａと他方の接続端子の第２辺１０３Ｂとが向かい合い、一方の接続端子の第１回り止め目突起１０５と他方の接続端子の第２回り止め突起１０６とが、隣り合う接続端子１００、１００において最も互いに近接した位置関係となる。従って、距離Ｌ２を所定距離以上に設定する必要があり、すると端子のレイアウトに必要な距離Ｌ３も所定距離が必要となり、装置全体を小型化する場合の制約となっていた。
【０００５】
そこで本発明は、制約された基板領域内において、互いの電気的な影響を排除し得る距離を確保できる接続端子を提供することを目的とする。
【０００６】
【課題を解決するための手段】
上記目的を達成するために、本発明は、プリント基板に固定される基板取付部と、該基板取付部の上方に位置して取付穴が形成されたバスバーをネジ固定するバスバー取付部と、該基板取付部と該バスバー取付部とを一体に接続する接続部とを有し、該バスバー取付部は該バスバーの長手方向に延び互いに略平行な第１辺部及び第２辺部を有し、該第１辺部からは第１回り止め突起が立設され、該第２辺部からは第２回り止め突起が立設され、該バスバー幅方向における該第１回り止め突起の立設部と第２回り止め突起の立設部間の距離は該バスバーの幅に対応して該第１、第２回り止め突起間に該バスバーの長手方向端面を対向配置させた接続端子において、該第１回り止め突起と該第２回り止め突起とは該バスバーの長手方向において互いにずれた位置にある接続端子を提供している。
【０００７】
ここで、該バスバー取付部及び該基板取付部は、平面視略長方形をなすとともに平面視で輪郭が互いに重なり合っているのが好ましい。また、該基板取付部には、該プリント基板に係合する爪が一体に設けられている構成であるのが好ましい。更に、該バスバー取付部には雌ネジ穴が形成され、また該バスバー取付部の該基板取付部に対向する面からは、内周面に雌ネジが螺刻された突き出しタップが一体に設けられ、雄ネジが該バスバーの取付穴を通過しつつ該雌ネジ穴及び突き出しタップに螺合することにより、該バスバーが該バスバー取付部に固定される構成であるのが好ましい。
【０００８】
【発明の実施の形態】
本発明の第１の実施の形態による接続端子について図１乃至図４に基づき説明する。接続端子１０は、図２、図４に示されるように、配線用のバスバー２Ａ、２Ｂをプリント基板１に固定するために、プリント基板１にネジ３により固定される。接続端子１０は銅製又はその他の導電性に優れた材料からなり、基板取付部１１と、バスバー取付部１３と、基板取付部１１とバスバー取付部１３とを一体に接続する接続部１７とにより断面コの字状をなす。基板取付部１１は平面視略長方形状をなし、雌ネジ穴１１ａが形成されると共に、雌ネジ穴１１ａと同軸に内周に雌ネジ１２ａが螺刻された突き出しタップ１２が所定長バスバー取付部１３方向に突出して一体に設けられる。突き出しタップ１２は、雌ネジ１２ａとによってネジ３との螺合長を確保するためである。
【０００９】
バスバー取付部１３は基板取付部１１の上方に位置し、平面視略長方形をなすと共に、平面視で輪郭が基板取付部１１と重なり合って配置される。かかる構成では、図２の右側の接続端子１０のように複数の接続端子１０を基板１上に整列固定したときに、基板１０のスペース効率を確保でき、配線や素子のレイアウトの自由度を高めることができる。
【００１０】
バスバー取付部１３は、雌ネジ穴１３ａが形成されると共に、雌ネジ穴１３ａと同軸に内周に雌ネジ１４ａが螺刻された突き出しタップ１４が所定長基板取付部１１方向に突出して一体に設けられる。突き出しタップ１４は、雌ネジ穴１３ａとによってネジ４との螺合長を確保するためである。バスバー取付部１３はバスバー２Ａ、２Ｂの長手方向Ｘに延び互いに略平行な第１辺部１３Ａ及び第２辺部１３Ｂを有し、第１辺部１３Ａからは第１回り止め突起１５がバスバー幅方向に突出してから湾曲して立設され、第２辺部１３Ｂからは第２回り止め突起１６が第１回り止め突起１５の突出方向とは反対方向に突出してから湾曲して立設されている。バスバー幅方向における第１回り止め突起１５の立設部と第２回り止め突起１６の立設部間の距離は、バスバーの幅Ｗに対応しており、また、図３に示されるように、第１回り止め突起１５と該第２回り止め突起１６とはバスバー２Ａ、２Ｂの長手方向Ｘにおいて互いにずれた位置にある。
【００１１】
よって、図２に示されるように貫通孔が端部に形成されたバスバー２Ａ、２Ｂを、バスバー取付部１３上に配置し、ネジ４を締付けることにより、バスバー２Ａ、２Ｂは接続端子１０，１０に固定される。ネジ締付けの最終段階では、ネジ４の回転と締付け力によってバスバー２Ａ、２Ｂ自体もネジ４の軸心を中心として回動しようとするが、バスバーの長手方向端面が第１回り止め突起１５の立設部と第２回り止め突起１６の立設部とに当接するので、バスバー２Ａ、２Ｂが予期せぬ方向に固定されることが防止できる。
【００１２】
更に、上述したように、限られた面積内に素子や配線が密集しているプリント基板１に、複数の接続端子１０を固定するときは、基板１上で複数の接続端子１０を横並びで整列させるのが、デッドスペースをなくして、小型化の要求にかなう。また複数の接続端子１０は同一形状、同一寸法であるのが、コスト低減の目的にかなう。以上をふまえ、隣り合う接続端子１０については、図３に示されるように、一方の接続端子の第１辺１３Ａと他方の接続端子の第２辺１３Ｂとが向かい合い、一方の接続端子の第１回り止め目突起１５と他方の接続端子の第２回り止め突起１６とが、隣り合う接続端子１０、１０において最も互いに近接した位置関係となる。ここで第１回り止め突起１５と第２回り止め突起１６とはバスバー２Ａ、２Ｂの長手方向において互いにずれた位置にあるので、その分、隣り合う接続端子において第１回り止め突起１５と第２回り止め突起１６間の距離Ｌ１が、図１１の距離Ｌ２と比較して拡大でき、基板１に対する接続端子固定のために必要な長さＬ３は図１１の場合と同一であっても、隣り合う端子１０、１０間の電気的な影響をより排除できる。そのことは、隣合う接続端子同士を狭い間隔で配置できることになり、その分プリント基板の小型化が達成できる。
【００１３】
本発明の第２の実施の形態による接続端子２０について図５、図６に基づき説明する。この接続端子２０は基板取付部２１に、第１の実施の形態のような突き出しタップが設けられず、基板取付部２１に形成された貫通穴に、リベット２３が嵌合圧着されて、接続端子２０が基板１に固定される。他の構成は第１の実施の形態の接続端子１０と同様である。
【００１４】
図７は、第３の実施の形態による接続端子３０を示す。この接続端子３０の基板取付部３１には、プリント基板１に係合する爪３２が一体に設けられている。他の構成は第１の実施の形態の接続端子１０と同様である。また図８は、本発明の第４の実施の形態による接続端子４０を示す。この接続端子４０の基板取付部４１にも、プリント基板１に係合する爪４２が一体に設けられている。他の構成は第２の実施の形態の接続端子２０と同様である。
【００１５】
かかる構成により、プリント基板１にネジ３（図１）やリベット２３（図６）により基板取付部３１、４１を固定するときに、爪３２、４２とプリント基板１との係合によって、接続端子３０、４０全体の回り止め効果が生じる。また、接続端子とは反対側のプリント基板の面に爪３２、４２を突出させれば、ハンダ付け等を施して爪３２、４２を電気的接続用端子として用いることができる。
【００１６】
本発明による接続端子は上述した実施の形態に限定されず、特許請求の範囲に記載した範囲で種々の変形や改良が可能である。
【００１７】
【発明の効果】
限られた面積内に素子や配線が密集しているプリント基板に、複数の接続端子を固定するときは、基板上で複数の接続端子を横並びで整列させるのが、デッドスペースをなくして、小型化の要求にかなう。また複数の接続端子は同一形状、同一寸法であるのが、コスト低減の目的にかなう。以上をふまえ、隣り合う接続端子については、一方の接続端子の第１辺と他方の接続端子の第２辺とが向かい合い、一方の接続端子の第１回り止め目突起と他方の接続端子の第２回り止め突起とが、隣り合う接続端子において最も互いに近接した位置関係となる。ここで請求項１記載の接続端子によれば、第１回り止め突起と第２回り止め突起とはバスバーの長手方向において互いにずれた位置にあるので、その分、隣り合う接続端子間の第１回り止め突起と第２回り止め突起間の距離が拡大でき、隣り合う端子間の電気的な影響を排除できる。そのことは、隣合う接続端子同士を狭い間隔で配置できることになり、その分プリント基板の小型化が達成できる。
【００１８】
請求項２記載の接続端子によれば、バスバー取付部及び基板取付部は、平面視略長方形をなすとともに平面視で輪郭が互いに重なり合っているので、接続端子を基板状に複数整列固定させたときに、スペース効率を高めることができる。
【００１９】
請求項３記載の接続端子によれば、基板取付部には、プリント基板に係合する爪が一体に設けられているので、プリント基板にネジ等により基板取付部を固定するときに、爪とプリント基板との係合により、接続端子全体の回り止め効果が生じる。また、接続端子側とは反対側のプリント基板の面に爪を突出させれば、ハンダ付け等を施して爪を電気的接続のために用いることができる。
【００２０】
請求項４記載の接続端子によれば、バスバー取付部に突き出しタップが一体に設けられているので、バスバー取付部自体の肉厚が薄くても、突き出しタップの雌ネジによって、取付ネジとの螺合長さを確保でき、バスバーのバスバー取付部への固定が確保される。
【図面の簡単な説明】
【図１】本発明の第１の実施の形態による接続端子を示す斜視図。
【図２】本発明の第１の実施の形態による接続端子を基板に固定してバスバーを取付けた状態を示す平面図。
【図３】本発明の第１の実施の形態による接続端子を隣接配置した状態を示す説明図。
【図４】図２のＩＶ−ＩＶ線に沿った断面図。
【図５】本発明の第２の実施の形態による接続端子を示す斜視図。
【図６】本発明の第２の実施の形態による接続端子を基板に固定してバスバーを取付けた状態を示す断面図。
【図７】本発明の第３の実施の形態による接続端子を示す斜視図。
【図８】本発明の第４の実施の形態による接続端子を示す斜視図。
【図９】従来の接続端子を示す斜視図。
【図１０】従来の接続端子を基板に固定してバスバーを取付けた状態を示す平面図。
【図１１】従来の接続端子を隣接配置した状態を示す説明図。
【符号の説明】
１０、２０、３０、４０・・・接続端子
１・・・基板
２、２Ａ、２Ｂ・・・バスバー
３、４・・・ネジ
１１、２１、３１、４１・・・基板取付部
１２、１４・・・突き出しタップ
１３・・・バスバー取付部
１３Ａ・・・第１辺部
１３Ｂ・・・第２辺部
１５・・・第１回り止め突起
１６・・・第２回り止め突起
１７・・・接続部
２３・・・リベット
３２、４２・・・爪
【図１】
2004296158.tif 000003
【図２】
2004296158.tif 000004
【図３】
2004296158.tif 000005
【図４】
2004296158.tif 000006
【図５】
2004296158.tif 000007
【図６】
2004296158.tif 000008
【図７】
2004296158.tif 000009
【図８】
2004296158.tif 000010
【図９】
2004296158.tif 000011
【図１０】
2004296158.tif 000012
【図１１】
2004296158.tif 000013